(57)【要約】【課題】  発汗による湿気を吸収して効率良く外部へ発散することで、皮膚に対するべとつきや蒸れ感、生地のへたりやまとわりつき等を解消できるようにする。【解決手段】  装着者の頭頂部、後頭部、耳部を覆う衛生キャップ１において、生地の人肌Ｐに触れる裏側を、親水基を有するエチレンビニルアルコール繊維３によって形成する。このとき生地の表側がポリエステル繊維２のニット織り、生地の人肌Ｐに触れる裏側が親水基を有するエチレンビニルアルコール繊維３のメッシュ織りの二重縫製構造とし、これらの構成比率を例えば５３：４７とする。【選択図】      図３
0003104424.tif 000002
【実用新案登録請求の範囲】
【請求項１】
装着者の頭頂部、後頭部、耳部を覆う衛生キャップであって、生地の人肌に触れる裏側を、親水基を有するエチレンビニルアルコール繊維によって形成したことを特徴とする衛生キャップ。
【請求項２】
装着者の頭頂部、後頭部、耳部を覆う衛生キャップであって、生地の表側がポリエステル繊維のニット織り、生地の人肌に触れる裏側が親水基を有するエチレンビニルアルコール繊維のメッシュ織りの二重縫製構造としたことを特徴とする衛生キャップ。
【請求項３】
ポリエステル繊維のニット織りとエチレンビニルアルコール繊維のメッシュ織りとの表裏の構成比率を５３：４７としてある請求項２に記載の衛生キャップ。
【考案の詳細な説明】
【技術分野】
【０００１】
本考案は、例えば弁当、総菜等の食品製造工場、あるいは製薬工場、半導体等の電子部品製造工場等において、毛髪やフケの脱落を防止するための衛生上の目的で作業員の頭部に被って使用される衛生キャップに関するものである。
【背景技術】
【０００２】
従来のこの種の衛生キャップとしては、例えば特許文献１に開示されているように、装着者の頭頂部、後頭部および耳部を覆い、開口縁に弾性帯を逢着して成る布生地等で形成すると共に、両耳部近辺のそれぞれ外側においてマスク紐を引っ掛けるために薄板円板状の懸部を設けた構成のものが提案されている。尚、布生地としては、例えばＰＰ繊維、ＰＥＴ繊維、ナイロン繊維、コットン繊維等とされている。
【０００３】
また、衛生キャップの開口縁に弾性帯製のアジャスタを逢着することで、皮膚に対するフィット感と髪毛・フケ等の落下防止とを図るようにすることもあり、これには生地自体が面パイル材によって形成され、しかも耳部側にはマスク止め、額部側には汗止め用フライスが付設されたものとするのである。
【特許文献１】特開平８−１５８１３４号公報
【考案の開示】
【考案が解決しようとする課題】
【０００４】
しかしながらこのような従来の衛生キャップでは、発汗による湿気を吸収して外部へ発散させることができず、しかもキャップ内に籠もる湿気分によって皮膚に対するべとつきや蒸れ感が生じ、これを解消することが困難なものである。しかも、例えばＰＰ繊維、ＰＥＴ繊維、ナイロン繊維、コットン繊維等によって形成された布生地等は、濡れやすく、べとつきや蒸れ感が強いため、特に工場内で熱源が存在する場合には、装着者の皮膚からの発汗による蒸れを十分に解消できないのである。
【０００５】
特にコットン繊維である場合には、いったん汗や水分を吸収すると、繊維の内部にまで浸透して行き、繊維自他が大きく膨潤してしまうのであり、しかも繊維のへたりはないものの、汗や水分は人肌と繊維との間に膜状に残存してしまい、このためにべとつきや濡れ感が一層強くなるのである。また、ポリエステル繊維である場合には、これ自体が親水基を持っていないため、汗や水分を殆ど吸収せず、しかも繊維のへたりはないものの、汗や水分は人肌と繊維との間に膜状に残存してしまい、このため濡れ感や蒸れ感も一層が強いのである。また、従来のアジャスタを使用したものでは、面パイル材によって毛玉が生じ、女性のファンデーション等が付着してしまい、しかも何回か洗濯を繰り返すことでシワが生じ、半年で使用不能となってしまうのが現状である。
【０００６】
そこで本考案は叙上のような従来存した諸事情に鑑み案出されたもので、毛髪、フケ等を外に飛散させないという従来有している生地の性質に加えて、発汗による湿気を吸収して効率良く外部へ発散させる所謂速乾力を向上させることにより皮膚に対するべとつきや蒸れ感、さらには生地のへたりやまとわりつき等を容易に解消でき、しかも皮膚に対する接触冷感性を発生可能にすることで装着者に対してひんやりとした快適性を与えることができると共に、生地に対して人肌に近い性質を備えることで人肌との接触によるアレルギー発生が防止でき、また生地に優れた伸縮性を付与してフィット感を向上させるばかりでなく、様々な汚れに対して優れた除去性を発揮させるものとした衛生キャップを提供することを目的とする。
【課題を解決するための手段】
【０００７】
上述した課題を解決するため、本考案にあっては、装着者の頭頂部、後頭部、耳部を覆う衛生キャップ１であって、生地の人肌Ｐに触れる裏側を、親水基を有するエチレンビニルアルコール繊維３によって形成したものである。
装着者の頭頂部、後頭部、耳部を覆う衛生キャップ１であって、生地の表側がポリエステル繊維２のニット織り、生地の人肌Ｐに触れる裏側が親水基を有するエチレンビニルアルコール繊維３のメッシュ織りの二重縫製構造としたものである。
さらにこれらのポリエステル繊維のニット織りとエチレンビニルアルコール繊維のメッシュ織りとの表裏の構成比率を５３：４７として構成することができる。
【０００８】
以上のように構成された本考案に係る衛生キャップ１にあって、エチレンビニルアルコール繊維３は、これの親水基によって、人肌Ｐの皮膚からの汗や水分を生地の繊維表面で吸収させ、素早く外部へ拡散させる。しかも生地の繊維は殆ど膨潤しないので、へたりによるまとわりつきもなく、汗を生地の繊維表面から素早く発散させる。
すなわちこの親水基によって発汗による湿気を吸収して効率良く外部へ発散させる所謂速乾力を発揮させるので、人肌Ｐの皮膚面に対するべとつきや蒸れ感を解消させ、さらには人肌Ｐに対する接触冷感性を発生させると共に、生地に優れた伸縮性を付与させるものとなる。
【考案の効果】
【０００９】
本考案によれば、毛髪、フケ等を外に飛散させないという従来有している生地の性質に加えて、発汗による湿気を吸収して効率良く外部へ発散させる所謂速乾力を向上させることができ、そのため皮膚に対するべとつきや蒸れ感、さらには生地のへたりやまとわりつき等を容易に解消できるのである。さらには皮膚に対する接触冷感性を発生可能にすることで装着者に対してひんやりとした快適性を与えることができると共に、生地自体が人肌Ｐに近い性質を備えることで人肌Ｐとの接触によるアレルギー発生を防止でき、また生地に優れた伸縮性を付与してフィット感を向上させ、しかも様々な汚れに対して優れた除去性を発揮させることができる。
【００１０】
すなわち、これは本考案が、装着者の頭頂部、後頭部、耳部を覆う衛生キャップ１において、その生地の人肌Ｐに触れる裏側を、親水基を有するエチレンビニルアルコール繊維３によって形成したからであり、これにより、生地に高い速乾力を付与することができ、皮膚に対するべとつきや蒸れ感、生地のへたりやまとわりつき等を容易に解消することができる。
【００１１】
また、生地の表側がポリエステル繊維２のニット織り、生地の人肌Ｐに触れる裏側が親水基を有するエチレンビニルアルコール繊維３のメッシュ織りの二重縫製構造としたので、エチレンビニルアルコール繊維３の親水基によって吸収された皮膚の汗や水分を、親水基を持たず、汗や水分を殆ど吸収しないポリエステル繊維２を通って外部へ容易に拡散させることができる。しかも裏側のエチレンビニルアルコール繊維３によるメッシュが点状に人肌Ｐに接触するのでヒートストレスが十分に解消される。
【００１２】
また、これらのポリエステル繊維のニット織りとエチレンビニルアルコール繊維のメッシュ織りとの表裏の構成比率を５３：４７としてあるので、装着者の人肌Ｐにとって、冷感が十分に得られるものとなる。
【００１３】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１４】
以下図面を参照して本考案を実施するための最良の一形態を説明すると、図において示される符号１は例えば食品製造工場、製薬工場、電子部品製造工場等において、毛髪やフケの脱落を防止するために作業員の頭部に被って使用される衛生キャップであって、図１に示すように、装着者の頭頂部、後頭部、耳部、さらには肩部を覆うよう頭頂部被覆面部４、後頭部耳部被覆面部５、肩部被覆面部８それぞれを備えたフィット性、伸縮性のあるフード状に形成されている。
【００１５】
衛生キャップ１自体は図３に示すように、その素材生地の構成比率で５３％がポリエステル繊維として表側に、４７％が親水基を有するエチレンビニルアルコール繊維３として裏側に配置した二重織り構造のものとして構成されており、親水基を有するエチレンビニルアルコール繊維３として例えばクラレ株式会社の販売に係る製品名「ソフィスタ」（登録商標）と称する生地が使用される。すなわち、素材生地の人肌Ｐに触れる裏側を、エチレンビニルアルコール繊維３のメッシュ織りによって形成し、生地の表側をポリエステル繊維２をニット織りによって形成することで生地全体が二重縫製構造となっている。尚、ポリエステル繊維のニット織りとエチレンビニルアルコール繊維のメッシュ織りとの表裏の構成比率は、５０：５０にする等の使用される状況その他によって多少の変動もあり得るものである。
【００１６】
エチレンビニルアルコール繊維３は、低屈折率であって、しかも水分の吸収拡散機能を有する親水基を分子構造として持っている。しかもこのような親水基のある分子構造は、人間の肌と類似しているため、人肌Ｐに優しく、且つ人肌Ｐに触れてもアレルギーを起こす心配がないものである。また、他の繊維に比べて格段に再汚染性が低いため、色の美しさを常に保てるものとなっている。
【００１７】
図２に示すように、衛生キャップ１の額当接部分に相当する頭頂部被覆面部４の前側縁部には庇部６が縫着形成されている。また、この庇部６には額当接縁部７が設けられており、この額当接縁部７は、素材生地においての裏側に配置されているエチレンビニルアルコール繊維３のメッシュ織り部分をいったんは表側となって露出するように山折りすることで形成し、そして、その状態で根元部分をキャップ本体の額部に庇部６と共に縫合するのである。こうすることで、額当接縁部７が額にフィット可能となり、額の汗や水分を一層吸収できるものである。尚、庇部６は形成せずに、キャップ本体の額部分に額当接縁部７を直接に縫合することもあり、庇部６自体の採用は任意なものとなっている。
【００１８】
また、衛生キャップ１の後頭部耳部被覆面部５における両耳部を覆う位置よりも若干頭頂部寄りの位置には、マスクＱの紐を引っ掛けるための半折り接合可能にした面ファスナー製の紐掛け部９が取り付けられている。すなわち、帯状の紐掛け部９の接合面と反対側の面半分を衛生キャップ１の生地表側に接着等によって固定し、紐掛け部９の残り半分の面を折り返して、マスクＱの紐を引っ掛けた状態で互いに合致させることで支持固定できるようにしてある。また、肩部被覆面部８は前側が切断され、装着者が本考案の衛生キャップ１を装着した際に、切断部分を互いに重ね合わせてから、雄雌の面ファスナー製の止め具１０によって接合固定できるようにしてある。
【００１９】
次に、ポリエステル繊維２とエチレンビニルアルコール繊維３との乾燥時間（分）に対する残存水分率（％）の比較例について説明すると、図４に示すように、両繊維それぞれに１０ｇ／ｍの水を吸収させ、乾燥するまでの時間を計測すると、ポリエステル繊維２の乾燥時間は４５分であったのに対して、エチレンビニルアルコール繊維３は３０分の僅かな時間で乾燥した。
【００２０】
次に、ポリエステル繊維２とエチレンビニルアルコール繊維３との時間（分）に対する模擬皮膚温度（℃）の関係について説明する。尚、比較のために綿、ナイロン繊維のデータも合わせて表示してある。図５に示すように、ポリエステル繊維２、エチレンビニルアルコール繊維３それぞれに対する軽作業後の皮膚温度の変化を時間と共に計測すると、エチレンビニルアルコール繊維３の場合では、ポリエステル繊維２に比べて、体温変化が極めて緩やかなものである。しかも綿、ナイロン繊維等の他のどの繊維よりも変化が緩やかである。すなわち、これはエチレンビニルアルコール繊維３の親水基によって汗を素早く吸収拡散するため、気化熱によって体温上昇が抑えられ、例えば所定作業後の休息時でも急激な体温低下を招かないからである。
【００２１】
さらにまた、例えば食品製造工場で使用される衛生キャップ１の生地の違いによる首部の表面温度と湿度とを比較すると、室温３２℃、湿度５０％の中で、衛生キャップ１を装着し、軽作業を開始した場合、１０分後、２５分後にそれぞれ首部の表面温度、湿度を測定すると、１０分後では、ポリエステル繊維２の温度は３４．８℃、湿度は８８．９％であるのに対し、エチレンビニルアルコール繊維３の温度は３４．５℃、湿度は６６．９％である。また、２５分後では、ポリエステル繊維２の温度は３４．６℃、湿度は９８．０％であるのに対し、エチレンビニルアルコール繊維３の温度は３２．７℃、湿度は８２．３％であった。
【図面の簡単な説明】
【００２２】
【図１】本考案を実施するための最良の形態を示す使用状態の斜視図である。
【図２】同じく使用状態の一部切欠断面図である。
【図３】同じく使用状態の一部拡大断面図である。
【図４】同じく乾燥時間（分）に対する残存水分率（％）の関係をグラフによって示した図である。
【図５】同じく時間（分）に対する模擬皮膚温度（℃）の関係をグラフによって示した図である。
【符号の説明】
【００２３】
Ｐ…人肌                                Ｑ…マスク
１…衛生キャップ                        ２…ポリエステル繊維
３…エチレンビニルアルコール繊維        ４…頭頂部被覆面部
５…後頭部耳部被覆面部                  ６…庇部
７…額当接縁部                          ８…肩部被覆面部
９…紐掛け部                            １０…止め具
【図１】
0003104424.tif 000003
【図２】
0003104424.tif 000004
【図３】
0003104424.tif 000005
【図４】
0003104424.tif 000006
【図５】
0003104424.tif 000007